(57)【要約】【課題】照明装置、ドラムユニット、画像形成装置、画像読取装置の各装置において、簡単な構成でありながら、導光部材に付着した付着物を除去することが可能な清掃機構を実現する。【解決手段】導光部材７２は、長尺な形状に形成され、長手方向の一方端に入射面７７を有し、前記長手方向に交差する方向へ光を出射する出射面７８，７９を有する。光源７１は、入射面７７に光を出射する。支持部材８１，８２は、導光部材７２の長手方向の両端を回転可能に支持する。清掃部材９８，９９は、導光部材７２が回転されるときに射面７８，７９に接触して射面７８，７９を清掃する。【選択図】図１０
2019045547.tif 000002
【特許請求の範囲】
【請求項１】
長尺な形状に形成され、長手方向の一方端に光入射面を有し、前記長手方向に交差する方向へ光を出射する光出射面を有する導光体と、
前記光入射面に光を出射する光源と、
前記導光体の前記長手方向の両端部を支軸として、前記光出射面から被照射体へ光を出射可能な第１回転姿勢と、前記第１回転姿勢から所定の回転方向へ隔てた第２回転姿勢との間で前記導光体を回転可能に支持する支持部材と、
前記導光体が回転されるときに前記光出射面に接触して前記光出射面を清掃する清掃部材と、を備える照明装置。
【請求項２】
前記導光体に連結され、前記導光体を回転させるための操作部材を更に備える請求項１に記載の照明装置。
【請求項３】
前記第２回転姿勢から前記第１回転姿勢へ向かう回転方向の弾性付勢力を前記導光体に付与するとともに、前記導光体を前記第１回転姿勢で保持する弾性保持部を更に備える請求項１又は２に記載の照明装置。
【請求項４】
前記導光体を前記長手方向に沿って挿抜可能に収容し、前記長手方向の他方側に前記導光体が挿入される挿入口を有する収容部と、
前記挿入口に取り付けられ、前記収容部に収容された前記導光体を前記光源側へ押圧して前記収容部において前記導光体を予め定められた基準位置に位置決めする押圧部材と、を更に備える請求項１から３のいずれかに記載の照明装置。
【請求項５】
前記導光体は、前記長手方向に交差する方向の両側面それぞれに前記光出射面を有し、
前記清掃部材は、一方の前記光出射面に接触する第１接触部と、他方の前記光出射面に接触する第２接触部とを有する請求項１から４のいずれかに記載の照明装置。
【請求項６】
前記清掃部材は、押圧されることにより収縮する弾性部材である請求項１から５のいずれかに記載の照明装置。
【請求項７】
画像形成装置に装着して用いられるドラムユニットであって、
感光体ドラムを回転可能に支持するハウジングと、
長尺な形状に形成され、長手方向の一方端に光入射面を有し、前記長手方向に交差する方向へ光を出射する光出射面を有し、前記光出射面から前記感光体ドラムへ向けて除電するための光を照射する導光体と、
前記光入射面に光を出射する光源と、
前記ハウジングに設けられ、前記導光体の前記長手方向の両端部を支軸として、前記光出射面から前記感光体ドラムへ光を出射可能な第１回転姿勢と、前記第１回転姿勢から所定の回転方向へ隔てた第２回転姿勢との間で前記導光体を回転可能に支持する支持部材と、
前記導光体が回転されるときに前記光出射面に接触して前記光出射面を清掃する清掃部材と、を備えるドラムユニット。
【請求項８】
請求項７に記載のドラムユニットを備え、前記感光体ドラムにトナー像を形成する画像形成装置。
【請求項９】
請求項１から６のいずれかに記載の照明装置と、
前記照明装置によって光が照射される感光体ドラムと、を備える画像形成装置。
【請求項１０】
請求項１から６のいずれかに記載の照明装置と、
前記照明装置によって光が照射される被照射体と、を備え、
前記被照射体からの反射光に基づいて前記被照射体の照射面の画像データを読み取る画像読取装置。
【発明の詳細な説明】
【技術分野】
【０００１】
本発明は、光源からの光を導光する導光部材を備える照明装置に関する。
【背景技術】
【０００２】
電子写真方式の画像形成装置では、帯電ローラーによって感光体ドラムが一様に帯電される。次に、帯電した感光体ドラムの表面上にレーザー光が照射されて感光体ドラムの表面上に静電潜像が形成される。そして、感光体ドラムの静電潜像はトナーを用いて現像される。感光体ドラムのトナー像がシート又は中間転写ベルトなどの被転写部材に転写されると、感光体ドラムの表面は除電部から照射される除電光によって除電され、その後、感光体ドラムの表面はクリーニング部によってクリーニングされる。
【０００３】
前記除電部として、光源と、光源から出射された光を出射方向に導きつつ前記出射方向に直交する方向へ照射する長尺な導光部材とを有する構成が知られている（特許文献１）。
【先行技術文献】
【特許文献】
【０００４】
【特許文献１】特開２０１６−９１８３６号公報
【発明の概要】
【発明が解決しようとする課題】
【０００５】
しかしながら、トナーなどの浮遊する塵埃が前記導光部材に付着すると、感光体ドラムへ向けて照射される光の光量が低下し、除電効果が低下するという問題がある。
【０００６】
本発明の目的は、照明装置、ドラムユニット、画像形成装置、画像読取装置の各装置において、簡単な構成でありながら、導光部材に付着した付着物を除去することが可能な清掃機構を実現することにある。
【課題を解決するための手段】
【０００７】
本発明の一の局面に係る照明装置は、導光体と、光源と、支持部材と、清掃部材と、を備える。前記導光体は、長尺な形状に形成され、長手方向の一方端に光入射面を有し、前記長手方向に交差する方向へ光を出射する光出射面を有する。前記光源は、前記光入射面に光を出射する。前記支持部材は、前記導光体の前記長手方向の両端部を支軸として、前記光出射面から被照射体へ光を出射可能な第１回転姿勢と、前記第１回転姿勢から所定の回転方向へ隔てた第２回転姿勢との間で前記導光体を回転可能に支持する。前記清掃部材は、前記導光体が回転されるときに前記光出射面に接触して前記光出射面を清掃する。
【０００８】
本発明の他の局面に係るドラムユニットは、画像形成装置に装着して用いられるものであり、ハウジングと、導光体と、光源と、支持部材と、清掃部材と、を備える。前記ハウジングは、感光体ドラムを回転可能に支持する。前記導光体は、長尺な形状に形成され、長手方向の一方端に光入射面を有し、前記長手方向に交差する方向へ光を出射する光出射面を有し、前記光出射面から前記感光体ドラムへ向けて除電するための光を照射する。前記光源は、前記光入射面に光を出射する。前記支持部材は、前記ハウジングに設けられ、前記導光体の前記長手方向の両端部を支軸として、前記光出射面から前記感光体ドラムへ光を出射可能な第１回転姿勢と、前記第１回転姿勢から所定の回転方向へ隔てた第２回転姿勢との間で前記導光体を回転可能に支持する。前記清掃部材は、前記導光体が回転されるときに前記光出射面に接触して前記光出射面を清掃する。
【０００９】
本発明のその他の局面に係る画像形成装置は、前記ドラムユニットを備え、前記感光体ドラムにトナー像を形成する。
【００１０】
本発明のその他の局面に係る画像形成装置は、前記照明装置と、前記照明装置によって光が照射される感光体ドラムと、を備える。
【００１１】
本発明のその他の局面に係る画像読取装置は、前記照明装置と、前記照明装置によって光が照射される被照射体と、を備え、前記被照射体からの反射光に基づいて前記被照射体の照射面の画像データを読み取る。
【発明の効果】
【００１２】
本発明によれば、簡単な構成でありながら、導光部材に付着した付着物を除去することが可能である。
【図面の簡単な説明】
【００１３】
【図１】図１は、本発明の実施形態に係る画像形成装置の構成を示す図である。
【図２】図２は、画像形成装置の画像形成ユニットの一例を示す図である。
【図３】図３は、画像形成ユニットのドラムユニットの斜視図である。
【図４】図４は、ドラムユニットの分解斜視図である。
【図５】図５は、ドラムユニットの挿入方向奥側の端部の構成を示す斜視図である。
【図６】図６は、ドラムユニットの挿入方向奥側の端部の構成を示す分解斜視図である。
【図７】図７は、導光部材及び支持部材を示す斜視図である。
【図８】図８は、ドラムユニットの上部の内部構成を示す側面図であり、操作レバーが初期位置に配置された状態が示されている。
【図９】図９は、ドラムユニットの上部の内部構成を示す側面図であり、操作レバーが清掃位置に配置された状態が示されている。
【図１０】図１０は、導光部材の回転状態を示す模式図であり、（Ａ）は導光部材が第１回転姿勢に配置された状態が示されており、（Ｂ）は導光部材が第２回転姿勢に配置された状態が示されている。
【発明を実施するための形態】
【００１４】
以下、適宜図面を参照して本発明の実施形態について説明する。以下に説明される実施形態は本発明を具体化した一例にすぎず、本発明の技術的範囲を限定するものではない。なお、説明の便宜上、画像形成装置１０が使用可能な設置状態（図１に示される状態）で鉛直方向を上下方向Ｄ１と定義する。また、図１の紙面左側の面を正面（前面）として前後方向Ｄ２を定義する。また、前記設置状態の画像形成装置１０の正面を基準として左右方向Ｄ３を定義する。
【００１５】
図１に示すように、画像形成装置１０は、複数組の画像形成ユニット１〜４、中間転写ベルト５、光走査装置６、二次転写ローラー７、定着装置８、排紙トレイ９、トナーコンテナ２１〜２４、給紙カセット３１、搬送経路３２、及びこれらを収容する筐体３３を備える。画像形成装置１０は、給紙カセット３１から搬送経路３２に沿って供給されるシートに、パーソナルコンピューターなどの情報処理装置から入力される画像データに基づくカラー画像又はモノクロ画像を形成するカラープリンターである。また、ファクシミリー、コピー機、及び複合機なども、本発明に係る画像形成装置の一例である。
【００１６】
画像形成ユニット１〜４は、中間転写ベルト５の走行方向Ｄ１０に沿って並設されており、所謂タンデム方式の画像形成部を構成する。具体的に、画像形成ユニット１ではイエロー、画像形成ユニット２ではマゼンタ、画像形成ユニット３ではシアン、画像形成ユニット４ではブラックに対応するトナー像が形成される。
【００１７】
図２は、画像形成ユニット１及び画像形成ユニット２の構成を示す模式図である。図２に示すように、画像形成ユニット１及び画像形成ユニット２は、ドラムユニット１８と、現像部１３と、一次転写ローラー１５とを備える。また、ドラムユニット１８は、感光体ドラム１１と、帯電部１２と、除電部１４（本発明の照明装置の一例）と、クリーニング部１６とを備える。画像形成ユニット１及び画像形成ユニット２は、電子写真方式にしたがって感光体ドラム１１にトナー像を形成し、中間転写ベルト５にトナー像を転写する。なお、画像形成ユニット３及び画像形成ユニット４も同様に構成されているためここでは説明を省略する。
【００１８】
ドラムユニット１８は、画像形成装置１０に着脱可能に装着される。本実施形態では、ドラムユニット１８は、画像形成装置１０の右側面から筐体３３の奥側（左側）へ挿入されることによって、筐体３３に装着される。ドラムユニット１８は、感光体ドラム１１、帯電部１２、除電部１４、及びクリーニング部１６を収容するハウジング１９を有している。感光体ドラム１１は、ハウジング１９に回転可能に支持されている。
【００１９】
感光体ドラム１１各々は、中間転写ベルト５の走行方向Ｄ１０に沿って並設されている。感光体ドラム１１は、静電潜像及びトナー像を担持する像担持体である。帯電部１２各々は、ハウジング１９の下部に設けられており、不図示の電源から供給される電力により感光体ドラム１１を帯電させる帯電ローラー１２１を有する。帯電部１２により帯電された感光体ドラム１１に、光走査装置６によってレーザー光が照射され、画像データに基づく静電潜像が感光体ドラム１１の外周面に形成される。現像部１３各々は、感光体ドラム１１に形成された前記静電潜像をトナー（現像剤）により現像する現像ローラー１３１を有する。現像部１３各々には、各色に対応するトナーコンテナ２１〜２４からトナーが補給される。
【００２０】
一次転写ローラー１５各々は、感光体ドラム１１に形成されたトナー像を中間転写ベルト５に転写する。中間転写ベルト５は、画像形成ユニット１〜４各々の感光体ドラム１１の上方を走行し、感光体ドラム１１各々に形成された各色のトナー像が順次重ね合わせて転写される中間転写部材である。中間転写ベルト５上のトナー像は、二次転写ローラー７により、搬送経路３２を搬送されるシートに転写される。その後、前記シートに転写されたトナー像は、定着装置８で加熱されて前記シートに定着する。クリーニング部１６各々は、トナー像の転写後の感光体ドラム１１を清掃するクリーニングローラー１６１を有する。
【００２１】
除電部１４各々は、感光体ドラム１１の外周面における一次転写ローラー１５とクリーニングローラー１６１との間の領域Ｐ１に、感光体ドラム１１を除電するための除電光Ｌ１を照射する。換言すると、除電部１４各々は、感光体ドラム１１の表面において、一次転写ローラー１５よりも回転方向Ｄ１１の下流側であってクリーニングローラー１６１よりも上流側の領域Ｐ１に除電光Ｌ１を照射する。
【００２２】
また、除電部１４各々は、走行方向Ｄ１０の下流側に位置する他の画像形成ユニットの感光体ドラム１１の外周面にも、感光体ドラム１１を除電するための除電光Ｌ２を照射する。例えば、画像形成ユニット１の除電部１４は、下流側の画像形成ユニット２の感光体ドラム１１における現像ローラー１３１と一次転写ローラー１５との間の領域Ｐ２に、除電光Ｌ２を照射する。換言すると、除電部１４各々は、下流側に位置する他の感光体ドラム１１の表面において、現像ローラー１３１よりも回転方向Ｄ１１の下流側であって一次転写ローラー１５よりも上流側の領域Ｐ２に除電光Ｌ２を照射する。
【００２３】
このように、除電光Ｌ１，Ｌ２が感光体ドラム１１上の領域Ｐ１，Ｐ２に照射されることによって、感光体ドラム１１の前記トナー像の中間転写ベルト５への転写前後において感光体ドラム１１の除電が行われる。その結果、感光体ドラム１１の所謂メモリー画像が抑制される。
【００２４】
なお、イエローの画像は目立たないため、イエローに対応する画像形成ユニット１の感光体ドラム１１には除電光Ｌ２が照射されなくても画像メモリーの問題は顕在化しにくい。そのため、画像形成装置１０には、画像形成ユニット１の感光体ドラム１１に除電光Ｌ２を照射する構成は設けられていない。もちろん、画像形成装置１０が、画像形成ユニット１の感光体ドラム１１に除電光Ｌ２を照射する構成を備えていてもよい。
【００２５】
上述したように、画像形成装置１０は、ドラムユニット１８を備えている。ドラムユニット１８は、感光体ドラム１１を回転可能に支持するものであり、図３及び図４に示すように、長尺な形状に形成されている。ドラムユニット１８は、その長手方向が左右方向Ｄ３に一致する状態で、筐体３３の内部フレームなどに取り付けられる。
【００２６】
図３及び図４に示すように、ドラムユニット１８のハウジング１９は、長手方向の両端部それぞれに一対のサイドプレート１９１，１９２を一体に備えている。サイドプレート１９１は、ハウジング１９の右側に配置されており、サイドプレート１９２はハウジング１９の左側に配置されている。また、ハウジング１９は、一対のサイドプレート１９１，１９２それぞれの外側（左右方向Ｄ３の外側）に設けられた支持部６３及び支持部６４を有している。支持部６３，６４は、サイドプレート１９１，１９２の外側面に取り付けられている。感光体ドラム１１は、その両端部が支持部６３，６４に回転可能に支持されている。支持部６４は、筐体３３に対するドラムユニット１８の装着方向Ｄ２１の奥側（左側）の端部に設けられており、支持部６３は、装着方向Ｄ２１とは反対側（右側）の端部に設けられている。帯電ローラー１２１及びクリーニングローラー１６１もハウジング１９に回転可能に支持されている。本実施形態では、ドラムユニット１８は、感光体ドラム１１、帯電部１２、クリーニング部１６などがハウジング１９に取り付けられることによって、ユニット化されている。
【００２７】
ハウジング１９は、感光体ドラム１１の後方側の周面を覆う長尺なサイドフレーム６１を有する。サイドフレーム６１は、サイドプレート１９１とサイドプレート１９２との間を渡すように左右方向Ｄ３に沿って延在している。サイドフレーム６１の内側にクリーニング部１６が設けられている。
【００２８】
ハウジング１９は、感光体ドラム１１の後方側に収容部７３を有する。収容部７３は、後述の導光部材７２を収容するものであり、サイドフレーム６１とカバー部材６２とにより構成されている。具体的に、サイドフレーム６１の上面は、左右方向Ｄ３に延在する平坦面である。サイドフレーム６１の上面を覆うように左右方向Ｄ３に長い板状のカバー部材６２が設けられている。カバー部材６２は、サイドフレーム６１と同様に、左右方向Ｄ３に沿って延在している。サイドフレーム６１の上側にカバー部材６２が取り付けられることによって、サイドフレーム６１とカバー部材６２との間に、後述の導光部材７２を収容可能な収容空間が形成される。
【００２９】
除電部１４は、ドラムユニット１８のハウジング１９に設けられている。除電部１４は、上述したように除電光Ｌ１，Ｌ２（図２参照）を感光体ドラム１１の表面へ向けて照射するものであり、本発明の照明装置の一例である。
【００３０】
図４に示すように、除電部１４は、光源７１と、導光部材７２（本発明の導光体の一例）と、収容部７３と、支持部材９１，９２と、ねじりコイルバネ９５と、操作レバー９７（本発明の操作部材の一例）と、清掃部材９８，９９と、を備える。
【００３１】
導光部材７２は、ドラムユニット１８の長手方向（左右方向Ｄ３）に長尺な形状に形成されている。導光部材７２は、例えば透明なアクリル樹脂によって棒状に形成されている。導光部材７２は、感光体ドラム１１よりも長く形成されており、長手方向が感光体ドラム１１の軸方向と平行になるように配置されている。
【００３２】
導光部材７２は、長手方向の一方端に平坦な鉛直面である入射面７７（本発明の光入射面の一例）を有している。また、導光部材７２は、その長手方向に交差する方向へ光を出射する２つの出射面７８，７９（図６参照、本発明の光出射面の一例）を有する。
【００３３】
図６に示すように、導光部材７２は、断面の形状が半円形状となるように形成されている。出射面７８，７９は、導光部材７２において、長手方向に交差する水平方向（前後方向Ｄ２）の両側面それぞれに形成されている。具体的には、導光部材７２における前方側の面であって、長手方向に沿って延在する円弧状の曲面（円弧面）が出射面７８である。本実施形態では、出射面７８が、ドラムユニット１８の感光体ドラム１１の領域Ｐ１側に向くように配置されている。また、導光部材７２における後方側の鉛直面であって、長手方向に沿って延在する平坦な面が出射面７９である。本実施形態では、出射面７９が、後方側に隣接する他のドラムユニット１８の感光体ドラム１１の領域Ｐ２側に向くように配置されている。言い換えると、導光部材７２は、出射面７８が前方を向くように配置され、出射面７９が後方を向くように配置されている。
【００３４】
導光部材７２の内部には、複数の透過反射部（不図示）が形成されている。前記透過反射部は、出射面７９に形成された断面三角形状の溝であり、長手方向に予め定められた間隔で形成されている。入射面７７から入射して導光部材７２の内部を進む光は、前記透過反射部に入射すると、その入射光の一部が前記透過反射部で反射して、その反対側の出射面７８から除電光Ｌ１として前方へ出射する。この除電光Ｌ１が領域Ｐ１（図２参照）に照射される。また、導光部材７２の内部を進む光は、前記透過反射部に入射すると、その入射光の一部が前記透過反射部を透過して、出射面７９から除電光Ｌ２として後方へ出射する。この除電光Ｌ２が領域Ｐ２（図２参照）に照射される。
【００３５】
なお、カバー部材６２の前方側の側面には、長手方向に長い貫通窓６２１が形成されている。出射面７９から出射した除電光Ｌ２は、貫通窓６２１を通って領域Ｐ１へ照射される。
【００３６】
光源７１は、感光体ドラム１１を除電するための光を導光部材７２の入射面７７へ向けて出射する。光源７１は、例えば、基板にＬＥＤ素子が実装されたＬＥＤ光源である。光源７１は、支持部６３の内面に支持されており、収容部７３（図３参照）の右端部と支持部６３との間に配置されている。光源７１は、ＬＥＤ素子が入射面７７に対向するように配置されている。光源７１から出射された光は、導光部材７２の長手方向の一方側の入射面７７（図４参照）に入射する。そして、入射面７７に入射した光は、長手方向の他方側へ進み、前記透過反射部に反射しつつ、出射面７８，７９から出射する。
【００３７】
図５に示すように、収容部７３の左側の端部に挿入口８１が設けられている。収容部７３は、挿入口８１を介して導光部材７２を挿抜可能に支持している。挿入口８１から導光部材７２の入射面７７（図４参照）側の部分が挿入方向Ｄ３１へ挿入され、その挿入方向Ｄ３１へ向けて導光部材７２が右側へ押し込まれることによって、挿入口８１から収容部７３の内部に導光部材７２が収容される。
【００３８】
導光部材７２の入射面７７側の端部の近傍には、上下方向Ｄ１に突出する突起７５（図７参照）が一体に設けられている。突起７５は、導光部材７２の挿入方向Ｄ３１への移動を規制するストッパーの役割を担う部材である。入射面７７と光源７１とのギャップが基準値となる位置（基準位置）まで導光部材７２が押し込まれると、その基準位置で突起７５が収容部７３に設けられた係合片（不図示）に当接して、前記基準位置で導光部材７２が位置決めされる。つまり、導光部材７２は、前記基準位置から右側へ変位することが突起７５及び前記係止片によって規制される。
【００３９】
図６に示すように、収容部７３に導光部材７２が収容された状態で、導光部材７２の左端部７２１を引き出すことによって、収容部７３から導光部材７２が抜き出される。導光部材７２は、例えば、メンテナンス時に作業者によって収容部７３から抜き出される。導光部材７２の左端部７２１の近傍には、上下方向Ｄ１に突出する突起７６が一体に設けられている。突起７５，７６は、収容部７３に収容された導光部材７２の回転止めの役割を担う。突起７５は、導光部材７２が収容部７３の前記基準位置に挿入されて収容部７３に収容された状態で、後述の支持部材９１の支持孔９１１（図７参照）内に配置される。また、突起７６は、導光部材７２が収容部７３に収容された状態で、後述の支持部材９２の支持孔９２１（図７参照）内に配置される。
【００４０】
図７に示すように、導光部材７２の長手方向の両端部に支持部材９１，９２が取り付けられている。図７では、支持部材９１，９２が導光部材７２から取り外された状態が示されている。支持部材９１，９２は、導光部材７２の長手方向の両端部を支軸として、導光部材７２を第１回転姿勢と第２回転姿勢との間で回転可能に支持する。ここで、前記第１回転姿勢は、図８及び図１０（Ａ）に示す姿勢であり、出射面７８，７９それぞれから感光体ドラム１１へ向けて光を出射可能な姿勢である。また、前記第２回転姿勢は、図９及び図１０（Ｂ）に示す姿勢であり、前記第１回転姿勢から導光部材７２の周りを反時計回転方向へ概ね９０度回転された姿勢である。
【００４１】
支持部材９１は、導光部材７２の右側の端部を支持するものであり、詳細には、導光部材７２の突起７５の部分を保持する。支持部材９１は、断面円形状の円柱状に形成されており、その中心には、導光部材７２が挿通される支持孔９１１が形成されている。支持孔９１１は、導光部材７２の本体部分７２２及び突起７５を挿入可能なように、本体部分７２２及び突起７５に対応する形状に形成されている。支持部材９１の支持孔９１１に突起７５が挿入された状態では、導光部材７２は、支持部材９１に対して回転できない。支持部材９１は、サイドプレート１９１に回転可能に取り付けられている。例えば、サイドプレート１９１の内側面に円筒形状の軸受け部（不図示）が一体に形成されており、その内孔に支持部材９１が挿入されている。これにより、支持部材９１は、導光部材７２の右端部側を回転可能に支持する。
【００４２】
支持部材９２は、導光部材７２の左側の端部を支持するものであり、詳細には、導光部材７２の突起７６の部分を保持する。支持部材９２は、断面円形状の円柱状に形成されており、その中心には、導光部材７２が挿通される支持孔９２１が形成されている。支持孔９２１は、支持孔９１１と同じく、導光部材７２の本体部分７２２及び突起７６を挿入可能なように、本体部分７２２及び突起７６に対応する形状に形成されている。支持部材９２の支持孔９２１に突起７６が挿入された状態では、導光部材７２は、支持部材９２に対して回転できない。支持部材９２は、サイドプレート１９２に回転可能に取り付けられている。例えば、サイドプレート１９２の内側面に円筒形状の軸受け部（不図示）が一体に形成されており、その内孔に支持部材９２が挿入されている。これにより、支持部材９２は、導光部材７２の左端部７２１側を回転可能に支持する。
【００４３】
図８に示すように、ドラムユニット１８には、弾性部材としてのねじりコイルバネ９５が設けられている。ねじりコイルバネ９５は、後述する操作レバー９７及びスリット６２２（図５参照）とともに、本発明の弾性保持部を構成する。ねじりコイルバネ９５は、ハウジング１９において、左端部側に配置されている。ねじりコイルバネ９５は、図８において時計回転方向の弾性付勢力を導光部材７２に付与して導光部材７２を前記第１回転姿勢に保持する部材である。具体的には、ねじりコイルバネ９５の一端９５１がハウジング１９に設けられた固定部１９３に固定されており、他端９５２が支持部材９２に設けられた係止ピン９２２に係止している。導光部材７２にねじりコイルバネ９５の弾性付勢力以外の外力が加えられていない状態で、導光部材７２は第１回転姿勢を維持している。そして、後述の操作レバー９７が操作されることによって図８において反時計回転方向へ導光部材７２が回転されると、導光部材７２は前記第２回転姿勢へ向けて回転する。このとき、ねじりコイルバネ９５は、前記第２回転姿勢から前記第１回転姿勢へ向かう方向の弾性付勢力を導光部材７２に付与する。
【００４４】
図７に示すように、操作レバー９７は、導光部材７２に連結されている。具体的には、操作レバー９７は支持部材９２に一体に形成されており、支持部材９２を介して導光部材７２に連結されている。操作レバー９７は、導光部材７２を回転させるために作業者によって操作される部分である。操作レバー９７は、支持部材９２の外周面から支持部材９２の径方向の外側へ突出するレバー状の部材である。支持部材９２に導光部材７２が支持された状態で、操作レバー９７は、カバー部材６２の側面に形成された上下に延びるスリット６２２に挿通されて、ハウジング１９の外部に露出される。これにより、作業者は、ドラムユニット１８を分解することなく、ドラムユニット１８の外部に露出された操作レバー９７を操作して導光部材７２を回転させることができる。
【００４５】
本実施形態では、導光部材７２が前記第１回転姿勢にあるときに、操作レバー９７は、スリット６２２の上端６２３に当接する。このとき、ねじりコイルバネ９５によって操作レバー９７が時計回転方向へ付勢されていても、上端６２３が操作レバー９７を上方へ移動することを規制するストッパーとして作用する。このため、導光部材７２は、前記第１回転姿勢を維持する。以下、導光部材７２が前記第１回転姿勢にある状態で、操作レバー９７が上端６２３に当接した位置を初期位置という。したがって、収容部７３に導光部材７２が収容された状態であって、操作レバー９７が前記初期位置にあり、導光部材７２が前記第１回転姿勢にある状態では、導光部材７２は、出射面７８が前方へ向き、出射面７９が後方へ向いた姿勢を保持し、ねじりコイルバネ９５による付勢力以外の外力が加えられていなければ、導光部材７２の反時計回転方向への回転が規制される。
【００４６】
図５及び図６に示すように、ハウジング１９には、挿入口８１を覆うカバー８３（本発明の押圧部材の一例）が設けられている。カバー８３は、ビス８４によってサイドプレート１９２に固定されている。図６に示すように、カバー８３の内面には、シリコンゴムやスポンジ部材、バネなどの弾性部材８５が設けられている。弾性部材８５は、カバー８３がサイドプレート１９２に固定された状態で、導光部材７２の左端部７２１を挿入方向Ｄ３１（右側）へ弾性的に押圧する。これにより、導光部材７２が周辺温度の変化や湿度の変化などによって長手方向に膨張又は収縮しても、入射面７７と光源７１とのギャップを常に基準値となるように維持することができる。つまり、弾性部材８５を有するカバー８３が挿入口８１に取り付けられることにより、収容部７３に収容された導光部材７２が挿入方向Ｄ３１へ押圧されて、収容部７３において導光部材７２が前記基準位置に位置決めされる。
【００４７】
ところで、トナーなどのような浮遊する塵埃が導光部材７２の出射面７８，７９に付着すると、感光体ドラム１１へ向けて照射される光の光量が低下し、除電効果が低下するという問題がある。このため、本実施形態では、清掃部材９８，９９が設けられており、この清掃部材９８，９９によって、簡単な構成でありながら、導光部材７２に付着した付着物を効果的に除去することが可能になっている。
【００４８】
図１０（Ａ）に示すように、清掃部材９８，９９は、収容部７３の内部に設けられている。清掃部材９８は、カバー部材６２に固定されており、詳細には、サイドフレーム６１の上面に対向するカバー部材６２の裏面に固定されている。清掃部材９８は本発明の第１接触部の一例である。一方、清掃部材９９は、サイドフレーム６１に固定されている。清掃部材９９は本発明の第２接触部の一例である。  清掃部材９８，９９は、導光部材７２に接触して押圧されることにより収縮するスポンジ部材（弾性部材）によって形成されている。清掃部材９８，９９は、それぞれ、導光部材７２と同じように左右方向Ｄ３に長尺な形状に形成されており、導光部材７２を同じ長さ或いはそれ以上の長さに形成されている。
【００４９】
本実施形態では、清掃部材９８は、導光部材７２の上側に配置されており、清掃部材９９は、導光部材７２の下側に配置されている。また、清掃部材９８，９９は、いずれも、導光部材７２の姿勢にかかわらず、導光部材７２に接触するように設けられている。これにより、導光部材７２が回転されるときに、清掃部材９８，９９が出射面７８，７９に接触して、出射面７８，７９を清掃する。
【００５０】
具体的には、操作レバー９７が前記初期位置（図８参照）に配置されており、且つ導光部材７２が前記第１回転姿勢に配置されている状態では、図１０（Ａ）に示すように、清掃部材９８，９９は、導光部材７２の出射面７８，７９には接触しておらず、導光部材７２の側面７２３に接触している。この状態から、操作レバー９７がねじりコイルバネ９５の弾性付勢力に抗して下方へ操作されると、導光部材７２が前記第１回転姿勢から反時計回転方向へ回転して、前記第２回転姿勢（図９参照）へ向けて回転する。そして、操作レバー９７がスリット６２２の下端６２４（図５参照）に当接する位置まで操作されると、導光部材７２は概ね９０度回転して前記第２回転姿勢となる。このときの操作レバー９７の位置、つまり、導光部材７２が前記第２回転姿勢であり、操作レバー９７が下端６２４に当接した位置を清掃位置という。
【００５１】
操作レバー９７が前記初期位置から前記清掃位置まで操作されることにより、その操作中に、出射面７８を清掃部材９８に接触させつつ、また、出射面７９を清掃部材９９に接触させつつ、導光部材７２は回転する。このとき、押圧されて収縮していた清掃部材９８は、収縮が復元しようとする力を出射面７８に付与しつつ、出射面７８に密着し、清掃部材９９も同様に出射面７９に密着する。そして、この密着状態を維持しつつ導光部材７２が回転することにより、出射面７８，７９に付着したトナーや塵埃などの付着物が清掃部材９８，９９によって除去される。除去された付着物は、スポンジ部材である清掃部材９８，９９の内部の微小孔に捕捉されて保持される。
【００５２】
なお、上述の実施形態では、スポンジ部材によって構成された清掃部材９８，９９を例示したが、本発明はこの構成に限られない。清掃部材９８，９９は、導光部材７２からの押圧を受けることによって収縮し、除去した微小な付着物を内部に保持することが可能なものであれば、どのような素材で形成されていてもよい。例えば、清掃部材９８，９９は、多孔質の柔らかい弾性を有する部材（多孔質弾性部材）で形成されたものであってもよい。
【００５３】
また、上述の実施形態では、出射面７８及び出射面７９を有する導光部材７２を例示したが、本発明はこの構成に限られない。例えば、出射面７８だけを有す導光部材７２にも本発明は適用可能である。この場合、清掃部材９８だけがハウジング１９に設けられていればよい。
【００５４】
なお、上述の実施形態では、ドラムユニット１８に光源７１や導光部材７２、収容部７３、清掃部材９８，９９、操作レバー９７などが設けられた構成を例示したが、本発明はこの構成に限られない。例えば、ドラムユニット１８に一体に設けられておらず、光源７１、導光部材７２、収容部７３、清掃部材９８，９９、操作レバー９７などを備える照明装置として本発明を捉えることも可能である。また、原稿などの被照射体からの反射光に基づいて原稿の画像を読み取る画像読取装置のスキャンユニットにおいて、原稿に光を照射する照明装置として本発明を捉えることも可能である。
【符号の説明】
【００５５】
１０    ：画像形成装置
１１    ：感光体ドラム
１８    ：ドラムユニット
１９    ：ハウジング
６１    ：サイドフレーム
６２    ：カバー部材
６３    ：支持部
６４    ：支持部
７１    ：光源
７２    ：導光部材
７３    ：収容部
７７    ：入射面
７８    ：出射面
７９    ：出射面
８１    ：挿入口
８３    ：カバー
８５    ：弾性部材
９１    ：支持部材
９２    ：支持部材
９５    ：ねじりコイルバネ
９７    ：操作レバー
９８    ：清掃部材
９９    ：清掃部材
１９１  ：サイドプレート
１９２  ：サイドプレート
【図１】
2019045547.tif 000003
【図２】
2019045547.tif 000004
【図３】
2019045547.tif 000005
【図４】
2019045547.tif 000006
【図５】
2019045547.tif 000007
【図６】
2019045547.tif 000008
【図７】
2019045547.tif 000009
【図８】
2019045547.tif 000010
【図９】
2019045547.tif 000011
【図１０】
2019045547.tif 000012